(57)【要約】  本開示は、照明スイッチモジュール、および照明制御システムのための照明スイッチモジュールを実装する方法を提供する。照明スイッチモジュールは、作動面を含む照明スイッチアクチュエータを含む。照明スイッチアクチュエータは、電気流路を接続するため、および照明スイッチアクチュエータ内に収容される触覚ディスプレイを起動するために移動可能である。１つまたは複数の触覚モーションが、触覚ディスプレイを使用して、複数の照明設定の中から照明設定を選択するために照明スイッチアクチュエータの作動面に対して適用される。
2019513282.tif 000002
【特許請求の範囲】
【請求項１】
照明スイッチモジュールであって、
電気接点部品を備える照明スイッチアクチュエータであって、前記照明スイッチアクチュエータは、前記電気接点部品を第１の位置から第２の位置へ移動させて、前記照明スイッチアクチュエータの作動面の移動により、電気流路を接続するように構成される、照明スイッチアクチュエータと、
前記照明スイッチアクチュエータ内に収容され、かつ前記電気接点部品を前記第２の位置へ移動させる前記作動面の移動により起動するように構成される触覚ディスプレイであって、前記触覚ディスプレイは、前記作動面と同時に移動するように構成され、前記作動面に対する１つまたは複数の触覚モーションに応答して複数の照明設定から選択される照明設定の選択を引き起こすように構成され、前記触覚ディスプレイは、前記照明設定の前記選択の変更に応答して別個のアイコンを個々に表示するように構成される、触覚ディスプレイと、を備える、照明スイッチモジュール。
【請求項２】
前記照明スイッチモジュールは、前記電気接点部品および前記触覚ディスプレイに電気的に接続される制御システムをさらに備え、前記制御システムは、
前記触覚ディスプレイを介した前記照明設定の選択に応答して複数の照明器具中の各照明器具に個別の電力量を割り当てるように構成される配電計画を特定し、
特定された前記配電計画に基づいて、前記複数の照明器具中の各照明器具への前記個別の電力量の分配を引き起こすように構成される、請求項１に記載の照明スイッチモジュール。
【請求項３】
前記制御システムは、前記触覚ディスプレイを介した前記照明設定の前記変更に応答して、前記配電計画を変更するようにさらに構成される、請求項２に記載の照明スイッチモジュール。
【請求項４】
前記制御システムは、前記電気接点部品を前記第２の位置へ移動させる前記作動面の移動により起動するように構成される、請求項２に記載の照明スイッチモジュール。
【請求項５】
前記照明スイッチアクチュエータは枢動スイッチを備える、請求項１〜４のいずれか一項に記載の照明スイッチモジュール。
【請求項６】
前記照明スイッチアクチュエータは押しボタンスイッチを備える、請求項１〜４のいずれか一項に記載の照明スイッチモジュール。
【請求項７】
前記照明スイッチアクチュエータは摺動スイッチを備える、請求項１〜４のいずれか一項に記載の照明スイッチモジュール。
【請求項８】
前記照明スイッチアクチュエータはばね付勢される、請求項１〜７のいずれか一項に記載の照明スイッチモジュール。
【請求項９】
前記触覚ディスプレイは発光ダイオードディスプレイを備える、請求項１〜８のいずれか一項に記載の照明スイッチモジュール。
【請求項１０】
前記発光ダイオードディスプレイは有機発光ダイオードディスプレイである、請求項９に記載の照明スイッチモジュール。
【請求項１１】
前記触覚ディスプレイはＭＥＭＳディスプレイを備える、請求項１〜１０のいずれか一項に記載の照明スイッチモジュール。
【請求項１２】
前記触覚ディスプレイは液晶ディスプレイを備える、請求項１〜１１のいずれか一項に記載の照明スイッチモジュール。
【請求項１３】
前記１つまたは複数の触覚モーションは垂直スワイプを含む、請求項１〜１２のいずれか一項に記載の照明スイッチモジュール。
【請求項１４】
前記照明設定および前記個別のアイコンは、前記触覚ディスプレイの長さに対する前記垂直スワイプの長さに準じて変化するように構成される、請求項１３に記載の照明スイッチモジュール。
【請求項１５】
前記照明設定および前記個別のアイコンは、前記垂直スワイプの持続時間に準じて変化するように構成される、請求項１２に記載の照明スイッチモジュール。
【請求項１６】
前記照明設定は、前記垂直スワイプに準じて室内の垂直方向における光強度の勾配を有するように構成される、請求項１２に記載の照明スイッチモジュール。
【請求項１７】
前記１つまたは複数の触覚モーションは水平スワイプを含む、請求項１〜１６のいずれか一項に記載の照明スイッチモジュール。
【請求項１８】
前記照明設定は、前記水平スワイプに準じて室内の横方向における光強度の勾配を有するように構成される、請求項１７に記載の照明スイッチモジュール。
【請求項１９】
前記１つまたは複数の触覚モーションは、スワイプおよびタップの組み合わせを含み、前記タップが、前記スワイプの長さおよび持続時間のうちの少なくとも１つに比例して光強度の選択を引き起こす、請求項１〜１８のいずれか一項に記載の照明スイッチモジュール。
【請求項２０】
基底モジュール、および前記照明スイッチアクチュエータと前記基底モジュールとの間に位置付けられるように構成される壁板をさらに備える、請求項１〜１９のいずれか一項に記載の照明スイッチモジュール。
【請求項２１】
前記照明スイッチアクチュエータは、前記基底モジュール内のマルチピンソケットに係合するように構成されるマルチピンコネクタを含む、請求項２０に記載の照明スイッチモジュール。
【請求項２２】
前記基底モジュールは、ワンギャング壁電気ボックスの内部領域に実質的に対応するようにサイズ決定および形状決定される、請求項２０に記載の照明スイッチモジュール。
【請求項２３】
前記基底モジュールは、マルチギャング電気ボックス内の１つのスイッチに対して指定された空間に実質的に対応するようにサイズ決定および形状決定される、請求項１９に記載の照明スイッチモジュール。
【請求項２４】
前記基底モジュールは、単一のスイッチユニットの内部領域に実質的に対応するようにサイズ決定および形状決定され、かつ追加の基底モジュールまたはマルチギャング壁電気ボックス内のサードパーティスイッチもしくはコンセントユニットのうちの少なくとも１つと並んで装置することができる、請求項１９に記載の照明スイッチモジュール。
【請求項２５】
前記基底モジュールは、前記基底モジュールを壁電気ボックス内に取り付けるための２つのねじ開口部を含む、請求項１７に記載の照明スイッチモジュール。
【請求項２６】
請求項１〜２５のいずれか一項に記載の照明スイッチモジュールを動作させる方法。
【請求項２７】
照明スイッチモジュールを動作させる方法であって、
前記照明スイッチアクチュエータの作動面を移動させることにより、照明スイッチアクチュエータ内に収容された触覚ディスプレイを起動するステップであって、前記作動面の移動が、前記照明スイッチアクチュエータの電気接点部品を第１の位置から第２の位置へ移動させて電気流路を接続し、前記触覚ディスプレイが、前記作動面と同時に移動するように構成される、触覚ディスプレイを起動するステップと、
前記触覚ディスプレイを介した照明設定選択要求の受信に応答して、複数の照明設定の中から照明設定を特定するステップであって、各照明設定が、特定された前記照明設定に基づいて前記照明スイッチモジュールに接続された少なくとも１つの照明器具のための別個の配電計画に対応し、各別個の配電計画が、前記少なくとも１つの照明器具への個別の電力量の割り当てを引き起こすように構成される、照明設定を特定するステップと、
特定された前記照明設定に基づいて、１つまたは複数の電力信号を前記照明スイッチアクチュエータから前記少なくとも１つの照明器具に、送信するステップと、を含む方法。
【請求項２８】
前記複数の照明設定は、前記照明スイッチモジュールに接続された照明器具のための別個の配電計画を有する、請求項２７に記載の方法。
【請求項２９】
前記触覚ディスプレイを起動するステップは、前記作動面を枢動させることを含む、請求項２７または２８のいずれか一項に記載の方法。
【請求項３０】
前記触覚ディスプレイを起動するステップは、前記作動面を押圧することを含む、請求項２７または２８のいずれか一項に記載の方法。
【請求項３１】
前記触覚ディスプレイを起動するステップは、前記作動面を摺動することを含む、請求項２７または２８のいずれか一項に記載の方法。
【請求項３２】
照明スイッチモジュールの制御システム上での使用のためのコンピュータプログラム製品であって、前記コンピュータプログラム製品は、コンピュータ使用可能媒体を備え、前記コンピュータ使用可能媒体にはコンピュータ可読プログラムコードが格納されており、前記コンピュータ可読プログラムコードは、
触覚ディスプレイを収容する照明スイッチアクチュエータの作動面の移動による前記触覚ディスプレイの移動に応答して受信される起動信号の受信に応答して、前記触覚ディスプレイに第１のアイコンを表示させるためのプログラムコードと、
表示された前記第１のアイコンに対応する照明器具への第１の電力信号の送信を引き起こすためのプログラムコードと、
前記触覚ディスプレイからの切換信号の受信に応答して前記表示を前記第１のアイコンから第２のアイコンに変更するためのプログラムコードと、
前記切換信号の受信に応答して前記照明器具への第２の電力信号の送信を引き起こすためのプログラムコードと、を含む、コンピュータプログラム製品。
【請求項３３】
照明スイッチ制御モジュールを制御するためのシステムであって、
モバイル電子デバイス及び照明スイッチモジュールの間に通信インターフェースを生成するように構成される接続モジュールと、
前記モバイル電子デバイスの表示デバイス上へのアイコンの表示を引き起こすように構成される照明設定表示モジュールと、
複数の選択から照明設定選択を受信するように構成される照明設定選択モジュールであって、前記照明設定選択が前記アイコンのうちの１つに対応する、照明設定選択モジュールと、
前記照明設定選択を前記照明スイッチモジュールに送信するように構成される送信モジュールであって、前記照明設定選択の送信は、前記照明スイッチモジュールに、前記アイコンのうちの前記１つを前記照明スイッチアクチュエータ内に収容される前記照明スイッチモジュールの触覚ディスプレイに表示させ、かつ前記照明スイッチモジュールに、前記照明設定選択に基づいて、照明器具に個別の電力量を割り当てる配電計画を振り分ける、送信モジュールと、を備える、システム。
【請求項３４】
照明スイッチ制御モジュールの構成を制御するためのシステムであって、
モバイル電子デバイス及び照明スイッチモジュールの間に通信インターフェースを生成するように構成される接続モジュールと、
前記照明スイッチ制御モジュールに接続された１つまたは複数の照明器具と関連付けられたパラメータを特定するように構成されるセンサベースのプロトコルを開始するように構成される照明器具特定モジュールと、
前記モバイル電子デバイスの表示デバイスへのアイコンの表示を引き起こすように構成される表示選択モジュールと、
配電計画が、特定された前記パラメータおよび光強度に関連するユーザ指定の入力に基づいて前記１つまたは複数の照明器具に対して設定されることを可能にするように構成される照明設定構成モジュールと、
前記配電計画のセットを格納し、前記アイコンを前記配電計画と関連付けるように構成される格納モジュールと、
前記配電計画および前記配電計画と関連付けられた前記アイコンを前記照明スイッチ制御モジュールに送信するように構成される送信モジュールと、を備える、システム。
【請求項３５】
特定された前記パラメータは、前記照明スイッチ制御モジュールに接続される照明器具の数量を含む、請求項３４に記載のシステム。
【請求項３６】
前記センサベースのプロトコルは、電力関連のパラメータを特定するようにさらに構成される、請求項３４または３５に記載のシステム。
【請求項３７】
前記照明器具特定モジュールは、前記照明器具に接続された電球のタイプを特定するように構成される、請求項３４〜３６のいずれか一項に記載のシステム。
【請求項３８】
前記センサベースのプロトコルは、前記照明器具への電力の送信に応答した光出力の検出を含む、請求項３４〜３７のいずれか一項に記載のシステム。
【請求項３９】
前記光は、前記照明スイッチモジュールおよび前記モバイル電子デバイス上の１つまたは複数の光センサによって検出される、請求項３４〜３８のいずれか一項に記載のシステム。
【請求項４０】
前記センサベースのプロトコルは、前記１つまたは複数の照明器具に送られる電力に応答して受信される電圧または電流のうちの少なくとも１つの検出を含む、請求項３４〜３９のいずれか一項に記載のシステム。
【請求項４１】
前記センサベースのプロトコルは、前記１つまたは複数の照明器具へ送られる電力に対する前記１つまたは複数の照明器具の応答のタイミングを計ることを含む、請求項３４〜４０のいずれか一項に記載のシステム。
【請求項４２】
前記センサベースのプロトコルは、前記照明スイッチモジュールに対する前記１つまたは複数の照明器具の距離を予測することを含む、請求項３４〜４１のいずれか一項に記載のシステム。
【請求項４３】
照明スイッチモジュールを動作させる方法であって、
照明スイッチアクチュエータの作動面を、電気流路を接続するために、および前記照明スイッチアクチュエータ内に収容されかつ前記作動面と同時に移動するように構成される触覚ディスプレイを起動するために、移動させるステップと、
前記照明スイッチアクチュエータの前記作動面に対して１つまたは複数の触覚モーションを適用することによって、複数の照明設定の中から照明設定を選択するステップと、を含む方法。
【請求項４４】
移動させるステップは、前記照明スイッチアクチュエータの前記作動面を枢動させることを含む、請求項４３に記載の方法。
【請求項４５】
照明スイッチモジュールであって、
移動可能な照明スイッチと、
前記移動可能な照明スイッチ内に収容される触覚ディスプレイと
を備える照明スイッチモジュール。
【請求項４６】
照明スイッチモジュールを設置する方法であって、
基底部品を電力供給線に電気的に接続するステップと、
前記基底部品を壁電気ボックスに結合するステップと、
壁板を前記基底部品に添着するステップと、
触覚ディスプレイを収容する照明スイッチアクチュエータを、前記壁板もまた前記照明スイッチアクチュエータの少なくとも一部分と前記基底部品との間に位置付けられるように、前記壁板を通じて前記基底部品に電気的に接続するステップとを含んでおり、前記照明スイッチアクチュエータが、前記照明スイッチアクチュエータの作動面の移動により電気流路を接続するために、前記照明スイッチアクチュエータによって第１の位置から第２の位置へ移動可能な接触部品を備えており、前記触覚ディスプレイが、
前記照明スイッチアクチュエータの前記作動面と同時に移動し、
前記作動面の移動により起動し、
前記作動面に対する１つまたは複数の触覚モーションに応答して、照明設定間を移動し、
前記照明設定の変更に応答して、別個のアイコンを個々に表示する
ように構成される、方法。
【発明の詳細な説明】
【技術分野】
【０００１】
〔関連出願〕
本発明は、２０１６年３月７日に出願された表題「ＩＮＴＥＬＬＩＧＥＮＴ  ＬＩＧＨＴＩＮＧ  ＣＯＮＴＲＯＬ  ＡＰＰＡＲＡＴＵＳＥＳ，ＳＹＳＴＥＭＳ，ＡＮＤ  ＭＥＴＨＯＤＳ」の米国仮特許出願第６２／３０４，６１６号明細書の優先権を主張するものであり、この出願は、参照によりその全体が本明細書に組み込まれる。
【０００２】
本出願は、概して、照明制御システムの分野に関する。
【背景技術】
【０００３】
家庭用照明制御デバイスをカスタマイズし自動化することは、多くの場合、それぞれの器具に紛らわしくマッピングされた照明スイッチが殺到する目障りな照明スイッチの設置に代表される。自動化された家庭用照明制御システムはまた、設置および／または操作には専門家または熟練した技術者を必要とし得る大きく複雑かつ高価な中央ハブを含み得る。これらの状況のいずれかに、あるいはより単純な状況においてさえも、導入されるスマート電球および／またはＷｉ−Ｆｉ対応電球は、それと関連付けられる照明スイッチおよび／または照明器具そのものによって不利に制限され得る。例えば、スマート電球と関連付けられた照明スイッチがオフに切り替えられると、スマート電球は作動不能になる。
【発明の概要】
【課題を解決するための手段】
【０００４】
本発明者らは、本明細書に開示される様々な実施形態が照明制御のための装置、システム、および方法を提供することを知見した。
【０００５】
様々な実施形態は、照明スイッチモジュールを提供する。
【０００６】
特定の実施形態において、照明スイッチモジュールは、電気接点部品を含む照明スイッチアクチュエータを含む。照明スイッチアクチュエータは、電気接点部品を第１の位置から第２の位置へ移動させて、照明スイッチアクチュエータの作動面の移動により電気流路を接続するように構成される。照明スイッチモジュールはまた、照明スイッチアクチュエータに結合されるか、または照明スイッチアクチュエータ内に少なくとも部分的に収容される触覚ディスプレイを含む。照明スイッチアクチュエータは、電気接点部品を第２の位置へ移動させる作動面の移動による起動のために構成される。触覚ディスプレイは、作動面と同時に移動するように構成される。触覚ディスプレイは、作動面に対する１つまたは複数の触覚モーションに応答して複数の照明設定から選択される照明設定の選択を引き起こすように構成される。触覚ディスプレイは、照明設定の選択の変更に応答して別個のアイコンを個々に表示するように構成される。
【０００７】
特定の実施形態において、照明スイッチモジュールは、電気接点部品および触覚ディスプレイに電気的に接続される制御システムを含む。制御システムは、触覚ディスプレイを介した照明設定の選択に応答して複数の照明器具中の各照明器具に個別の電力量を割り当てる配電計画（配電スキーム）を特定するように構成される。制御システムは、特定された配電計画に基づいて、複数の照明器具中の各照明器具への個別の電力量の分配を引き起こすように構成される。
【０００８】
特定の実施形態において、制御システムは、触覚ディスプレイを介した照明設定の変更に応答して、配電計画を変更するようにさらに構成される。
【０００９】
特定の実施形態において、制御システムは、電気接点部品を第２の位置へ移動させる作動面の移動による起動のために構成される。
【００１０】
特定の実施形態において、照明スイッチアクチュエータは枢動スイッチを含む。
【００１１】
特定の実施形態において、照明スイッチアクチュエータは押しボタンスイッチを含む。
【００１２】
特定の実施形態において、照明スイッチアクチュエータは摺動スイッチを含む。
【００１３】
特定の実施形態において、照明スイッチアクチュエータはばね付勢される。
【００１４】
特定の実施形態において、触覚ディスプレイは発光ダイオードディスプレイを備える。
【００１５】
特定の実施形態において、発光ダイオードディスプレイは有機発光ダイオードディスプレイである。
【００１６】
特定の実施形態において、触覚ディスプレイはＭＥＭＳディスプレイを備える。
【００１７】
特定の実施形態において、触覚ディスプレイは液晶ディスプレイを備える。
【００１８】
特定の実施形態において、作動面に対する１つまたは複数の触覚モーションは垂直スワイプを含む。
【００１９】
特定の実施形態において、照明設定および個別のアイコンは、触覚ディスプレイの長さに対する垂直スワイプの長さに準じて（応じて）変化するように構成される。
【００２０】
特定の実施形態において、照明設定および個別のアイコンは、垂直スワイプの持続時間に準じて（応じて）変化するように構成される。
【００２１】
特定の実施形態において、照明設定は、垂直スワイプに準じて室内の垂直方向における光強度の勾配を有するように構成される。
【００２２】
特定の実施形態において、１つまたは複数の触覚モーションは水平スワイプを含む。
【００２３】
特定の実施形態において、照明設定は、水平スワイプに準じて（応じて）室内の横方向における光強度の勾配を有するように構成される。
【００２４】
特定の実施形態において、１つまたは触覚モーションは、スワイプおよびタップの組み合わせを含み、タップが、スワイプの長さおよび持続時間のうちの少なくとも１つに比例する光強度の選択を引き起こす。
【００２５】
特定の実施形態において、照明スイッチモジュールは、基底モジュール、および照明スイッチアクチュエータと基底モジュールとの間に位置付けられるように構成される壁板を含む。
【００２６】
特定の実施形態において、照明スイッチアクチュエータは、基底モジュール内のマルチピンソケットに係合するように構成されるマルチピンコネクタを含む。
【００２７】
特定の実施形態において、基底モジュールは、ワンギャング壁電気ボックスの内部領域に実質的に対応するようにサイズ決定および形状決定される。
【００２８】
特定の実施形態において、基底モジュールは、マルチギャング電気ボックス内の１つのスイッチのために指定された空間に実質的に対応するようにサイズ決定および形状決定される。
【００２９】
特定の実施形態において、基底モジュールは、単一のスイッチユニットの内部領域に実質的に対応するようにサイズ決定および形状決定され、かつ追加の基底モジュールまたはマルチギャング壁電気ボックス内のサードパーティスイッチもしくはコンセントユニットのうちの少なくとも１つと並んで装置することができる。
【００３０】
特定の実施形態において、基底モジュールは、基底モジュールを壁電気ボックス内に取り付けるための２つのねじ開口部を含む。
【００３１】
様々な実施形態は、照明スイッチモジュールを動作させるための方法を提供する。
【００３２】
特定の実施形態において、照明スイッチモジュールを動作させるための方法は、照明スイッチアクチュエータ内に収容される触覚ディスプレイを、照明スイッチアクチュエータの作動面を移動させることにより起動するステップを含む。作動面の移動は、照明スイッチアクチュエータの電気接点部品を第１の位置から第２の位置へ移動させて、電気流路を接続する。触覚ディスプレイは、作動面と同時に移動するように構成される。本方法はまた、触覚ディスプレイを介した照明設定選択要求の受信に応答して、複数の照明設定の中から照明設定を特定するステップであって、各照明設定が、特定された照明設定に基づいて照明スイッチモジュールに接続された少なくとも１つの照明器具のための別個の配電計画に対応する、ステップを含む。各別個の配電計画は、少なくとも１つの照明器具への個別の電力量の割り当てを引き起こすように構成される。本方法はまた、特定された照明設定に基づいて１つまたは複数の電力信号を少なくとも１つの照明器具に送信するステップを含む。
【００３３】
特定の実施形態において、複数の照明設定は、照明スイッチモジュールに接続された照明器具のための別個の配電計画を有する。
【００３４】
特定の実施形態において、触覚ディスプレイを起動するステップは、作動面を枢動させることを含む。
【００３５】
特定の実施形態において、触覚ディスプレイを起動するステップは、作動面を押圧することを含む。
【００３６】
特定の実施形態において、触覚ディスプレイを起動するステップは、作動面を摺動することを含む。
【００３７】
様々な実施形態は、照明スイッチモジュールの制御システム上での使用のためのコンピュータプログラム製品を提供する。
【００３８】
特定の実施形態において、コンピュータプログラム製品は、コンピュータ使用可能媒体を含み、コンピュータ使用可能媒体にはコンピュータ可読プログラムコードが格納されている。コンピュータ可読プログラムコードは、触覚ディスプレイを収容する照明スイッチアクチュエータの作動面の移動による触覚ディスプレイの移動に応答して受信される起動信号の受信に応答して、触覚ディスプレイに第１のアイコンを表示させるためのプログラムコードを含む。コンピュータ可読プログラムコードは、表示された第１のアイコンに対応する照明器具への第１の電力信号の送信を引き起こすためのプログラムコードを含む。コンピュータ可読プログラムコードは、触覚ディスプレイからの切換信号の受信に応答して表示を第１のアイコンから第２のアイコンに変更するためのプログラムコードを含む。コンピュータ可読プログラムコードは、切換信号の受信に応答して照明器具への第２の電力信号の送信を引き起こすためのプログラムコードを含む。
【００３９】
特定の実施形態において、コンピュータプログラム製品は、コンピュータシステムによって実行されるとコンピュータシステムに特定の動作を実行させるコンピュータ実行可能命令を格納する非一時的なコンピュータ可読記憶デバイスを含む。
【００４０】
様々な実施形態は、照明スイッチ制御モジュールを制御するためのシステムを提供する。
【００４１】
特定の実施形態において、照明スイッチ制御モジュールを制御するためのシステムは、モバイル電子デバイスと照明スイッチモジュールとの間に通信インターフェースを生成するように構成される接続モジュールを含む。本システムはまた、モバイル電子デバイスの表示デバイス上へのアイコンの表示を引き起こすように構成される照明設定表示モジュールを含む。本システムは、複数の選択から照明設定選択を受信するように構成される照明設定選択モジュールであって、照明設定選択がアイコンうちの１つに対応する、照明設定選択モジュールを含む。本システムは、照明設定選択を照明スイッチモジュールに送信するように構成される送信モジュールをさらに含む。照明設定選択の送信は、照明スイッチモジュールに、アイコンのうちの１つを照明スイッチアクチュエータ内に収容される照明スイッチモジュールの触覚ディスプレイに表示させ、かつ照明スイッチモジュールに、照明設定選択に基づいて照明器具に個別の電力量を割り当てる配電計画を振り分けるように構成される。
【００４２】
様々な実施形態は、照明スイッチ制御モジュールの構成を制御するためのシステムを提供する。
【００４３】
特定の実施形態において、照明スイッチ制御モジュールの構成を制御するためのシステムは、モバイル電子デバイスと照明スイッチモジュールとの間に通信インターフェースを生成するように構成される接続モジュールを含む。照明スイッチ制御モジュールの構成を制御するためのシステムは、照明スイッチ制御モジュールに接続された１つまたは複数の照明器具と関連付けられたパラメータを特定するように構成されるセンサベースのプロトコルを開始するように構成される照明器具特定モジュールを含む。照明スイッチ制御モジュールの構成を制御するためのシステムは、モバイル電子デバイスの表示デバイス上へのアイコンの表示を引き起こすように構成される表示選択モジュールを含む。照明スイッチ制御モジュールの構成を制御するためのシステムは、配電計画が、特定されたパラメータおよび光強度に関連するユーザ指定の入力に基づいて１つまたは複数の照明器具に対して設定されることを可能にするように構成される照明設定構成モジュールを含む。本システムは、配電計画のセットを格納し、アイコンを配電計画と関連付けるように構成される格納モジュールを含む。本システムは、配電計画および配電計画と関連付けられたアイコンを照明スイッチ制御モジュールに送信するように構成される送信モジュールを含む。
【００４４】
特定の実施形態において、特定されたパラメータは、照明スイッチ制御モジュールに接続される照明器具の数量を含む。
【００４５】
特定の実施形態において、センサベースのプロトコルは、電力関連のパラメータを特定するようにさらに構成される。
【００４６】
特定の実施形態において、照明器具特定モジュールは、照明器具に接続された電球のタイプを特定するように構成される。
【００４７】
特定の実施形態において、センサベースのプロトコルは、照明器具への電力の送信に応答した光出力の検出を含む。
【００４８】
特定の実施形態において、光は、照明スイッチモジュールおよびモバイル電子デバイス上の１つまたは複数の光センサによって検出される。
【００４９】
特定の実施形態において、センサベースのプロトコルは、１つまたは複数の照明器具に送られる電力に応答して受信される電圧または電流のうちの少なくとも１つの検出を含む。
【００５０】
特定の実施形態において、センサベースのプロトコルは、１つまたは複数の照明器具へ送られる電力に対する１つまたは複数の照明器具の応答のタイミングを計ることを含む。
【００５１】
特定の実施形態において、センサベースのプロトコルは、照明スイッチモジュールに対する１つまたは複数の照明器具の距離を予測することを含む。
【００５２】
様々な実施形態は、照明スイッチアクチュエータの作動面を、電気流路を接続するため、および照明スイッチアクチュエータ内に収容されかつ作動面と同時に移動するように構成される触覚ディスプレイを起動するために、移動させるステップを含む、照明スイッチモジュールを動作せる方法を提供する。本方法はまた、照明スイッチアクチュエータの作動面に対して１つまたは複数の触覚モーションを適用することによって、複数の照明設定の中から照明設定を選択するステップを含む。
【００５３】
特定の実施形態において、移動させるステップは、照明スイッチアクチュエータの作動面を枢動させることを含む。
【００５４】
様々な実施形態は、移動可能な照明スイッチおよび移動可能な照明スイッチ内に収容される触覚ディスプレイを含む照明スイッチモジュールを提供する。
【００５５】
様々な実施形態は、照明スイッチモジュールを設置する方法を提供する。本方法は、基底部品を電力供給線に電気的に接続するステップと、基底部品を壁電気ボックスに結合するステップと、壁板を基底部品に添着するステップと、触覚ディスプレイを収容する照明スイッチアクチュエータを、壁板を通じて基底部品に電気的に接続するステップとを含む。照明スイッチアクチュエータは、壁板も照明スイッチアクチュエータの少なくとも一部分と基底部品との間に位置付けられるように接続される。照明スイッチアクチュエータは、照明スイッチアクチュエータの作動面の移動により電気流路を接続するために照明スイッチアクチュエータによって第１の位置から第２の位置へ移動可能な接触部品を含む。触覚ディスプレイは、照明スイッチアクチュエータの作動面と同時に移動するように構成される。触覚ディスプレイは、作動面の移動による起動のために構成される。触覚ディスプレイは、作動面に対する１つまたは複数の触覚モーションに応答して照明設定間で切り替わるように構成される。触覚ディスプレイは、照明設定の変更に応答して別個のアイコンを個々に表示するように構成される。
【００５６】
先述の概念および以下にさらに詳細に論じられる追加の概念のすべての組み合わせ（そのような概念は互いに矛盾しないことを条件とする）は、本明細書に開示される発明の主題の部分として企図されることを理解されたい。具体的には、本開示の終わりに主張する特許請求された主題のすべての組み合わせは、本明細書に開示される発明の主題の部分として企図される。参照により組み込まれる任意の開示にも登場し得る本明細書で明示的に用いられる用語は、本明細書に開示される特定の概念と最も一致する意味として扱われるべきであることも理解されたい。
【００５７】
当業者は、図面は主に例示の目的のためのものであり、本明細書に開示される発明の主題の範囲を制限することを意図されないことを理解するものとする。図面は必ずしも縮尺通りではなく、場合によっては、本明細書に開示される発明の主題の様々な態様は、異なる特徴の理解を促進するために、図面において強調または拡大して示され得る。図面において、同様の参照記号は、全体的に、同様の特徴（例えば、機能的に同様および／または構造的に同様の要素）を指す。
【図面の簡単な説明】
【００５８】
【図１Ａ】照明制御デバイスの部分分解組立斜視図である。
【図１Ｂ】図１Ａの照明制御デバイスの全体分解組立図である。
【図２Ａ】壁に取り付けられた図１Ａの照明制御デバイスを示す図である。
【図２Ｂ】マルチスイッチ照明制御デバイスを例証する図である。
【図２Ｃ】マルチスイッチ照明制御デバイスを例証する図である。
【図３Ａ】様々な照明設定を通じて遷移する照明制御デバイスおよび照明制御デバイスによって制御される照明器具を有する部屋を例証する図である。
【図３Ｂ】様々な照明設定を通じて遷移する照明制御デバイスおよび照明制御デバイスによって制御される照明器具を有する部屋を例証する図である。
【図３Ｃ】様々な照明設定を通じて遷移する照明制御デバイスおよび照明制御デバイスによって制御される照明器具を有する部屋を例証する図である。
【図３Ｄ】様々な照明設定を通じて遷移する照明制御デバイスおよび照明制御デバイスによって制御される照明器具を有する部屋を例証する図である。
【図３Ｅ】様々な照明設定を通じて遷移する照明制御デバイスおよび照明制御デバイスによって制御される照明器具を有する部屋を例証する図である。
【図３Ｆ】様々な照明設定を通じて遷移する照明制御デバイスおよび照明制御デバイスによって制御される照明器具を有する部屋を例証する図である。
【図４】照明制御デバイスを制御するためのシステムの動作のフロー図である。
【図５】照明制御デバイスを遠隔で動作させるためのシステムのフロー図である。
【図６】照明制御デバイスの動作を遠隔で構成するためのシステムのフロー図である。
【発明を実施するための形態】
【００５９】
本明細書に開示される発明の概念の特徴および利点は、図面と併用したときに以下に明記される詳細な説明からより明らかになるものとする。
【００６０】
以下に続くのは、照明制御デバイスの発明のシステム、方法、および構成要素に関連する様々な概念のより詳細な説明、ならびにそれらの実施形態例である。
【００６１】
図１Ａは、照明制御デバイス１００の部分分解組立斜視図である。照明制御デバイス（または照明制御システム）１００は、照明スイッチアクチュエータ１０６および照明スイッチアクチュエータ１０６内に収容される触覚ディスプレイ１０４を含むスイッチモジュール１０２を含む。照明制御デバイス１００はまた、壁板カバー１０８を含み、壁板カバー１０８はそこを通って延在するスイッチモジュール開口部１１０を含む。照明制御デバイス１００はまた、マルチピンソケット１１４を介してスイッチモジュール１０２に結合するように構成される基底モジュール１１２を含む。基底モジュール１１２は、ワンギャング壁電気ボックス内に受容され、それに実質的に対応する容積を有するようにサイズ決定および構成される。基底モジュール１１２は、接続タブ１１６および接続タブ１１６内の留め具用開口１１８により壁電気ボックスに結合されるように構成される。
【００６２】
照明スイッチアクチュエータ１０６は、外側作動面１２２を含み、この外側作動面１２２は、本明細書内でさらに論じられるようにガラスから成り得る。作動面１２２は、例えば、湾曲した足部１２０を押圧して照明スイッチアクチュエータ１０６を例えば枢動させることによって移動可能である。照明スイッチアクチュエータ１０６および作動面１２２の枢動は、スイッチアクチュエータ１０６の接触部品（図２に示される部品１２８）を第１の位置から第２の位置へ移動させる。接触部品の移動は、例えば２つの電気接点が接続することを可能にすることによって、または接触部品を電気接点と接続することによって、電気流路の接続を引き起こす。電気流路の接続は、本明細書内でさらに詳細に論じられるように、基底モジュール１１２に接続された電源によって供給される電気エネルギーにより、触覚ディスプレイ１０４を活性化または起動することを可能にする。触覚ディスプレイ１０４は、作動面１２２の少なくとも一部分およびアクチュエータ１０６と同時に移動するようにスイッチモジュール内で構造化される。触覚ディスプレイ１０４は、起動または活性化されると、ユーザが事前に規定された照明設定を画定または選択することを可能にし、ここでは照明設定は、照明制御デバイス１００に接続された１つまたは複数の照明器具に供給される電圧または電力を変更する。照明器具に供給される電力の変更は、各器具に供給される複数の異なる電圧を含み得、また、限定されるものではないが、場所、光強度、光の色、電球のタイプ、光のタイプ、環境光レベル、時刻、活動の種類、室温、騒音レベル、エネルギー費、ユーザの近接、ユーザ識別、または特定もしくは検出され得る様々な他のパラメータなど、様々なパラメータに基づき得る。さらには、照明制御デバイス１００は、室内、あるいは家の中の照明器具のすべてに接続され得、ユニット内または室内に位置しかつ同じまたは異なる照明器具に接続された１つまたは複数の他の照明制御デバイス１００と協働して動作するように構成され得る。
【００６３】
図１Ｂは、図１Ａの照明制御デバイス１００の全体分解組立図である。図１Ｂに明示されるように、触覚ディスプレイ１０４は、外側作動面１２２と照明スイッチアクチュエータ１０６の一部分（例えば、照明スイッチアクチュエータのハウジング部分）との間に位置付けられる。作動面１２２は、触覚ディスプレイ１０４および／もしくはセンサ（例えば、光センサ）１２７の経路のはっきりとした視域からの光、または触覚ディスプレイの起動を示し得る光パイプ１２６からの光などの他の光が作動面１２２を通過することを可能にする耐衝撃性ガラス材料から成り得る。触覚ディスプレイ１０４は、ポリマーベースの静電容量型タッチ層１２４および発光ダイオードパネル１２５から成り、それらはプリント回路基板１２９上に位置付けられた１つまたは複数のモジュールまたはプロセッサにより制御される。プリント回路基板上に位置付けられた１つまたは複数のモジュールまたはプロセッサは、触覚ディスプレイを介したユーザによる照明設定の選択に応答して、プロセッサのメモリデバイスまたはプロセッサに結合されたメモリデバイスに格納された照明設定の実施を引き起こすために、触覚ディスプレイに通信可能に結合され得る。触覚ディスプレイ１０４は、作動面１２２の真下にある照明スイッチアクチュエータ１０６の凹部１３１内に収容される。照明スイッチアクチュエータ１０６は、ハウジングカバー１３３およびハウジング基部１３５を含む熱可塑性ハウジングを備え得る。照明スイッチアクチュエータハウジングカバー１３３は、ピン１３６によりハウジング基部１３５に枢動可能に接続され、ハウジングカバー１３３は、ねじりばね１３７によりハウジング基部１３５に対して付勢される。特定の実施形態において、照明スイッチアクチュエータハウジングカバー１３３は、摺動するか、または別のやり方で平行移動もしくは回転するように構成され得る。外側作動面１２２は、スイッチアクチュエータハウジングカバー１３３により付勢され、照明スイッチアクチュエータ１０６のカバー部品１３３内に収容される触覚ディスプレイ１０４と共同して、スイッチアクチュエータハウジングカバー１３３と同時に移動する。特定の実施形態において、外側作動面および／または照明スイッチアクチュエータ１０６は、触覚ディスプレイ１０４に対して移動する（例えば、触覚ディスプレイに対して摺動する）ように構成される。照明スイッチアクチュエータ１０６は、一次プリント回路基板１５０上の開回路を閉じるために位置間で移動可能であるスイッチピン１２８として構造化された電気接点部品を含み、この基板はスイッチコントローラまたはプロセッサも収容する。特定の実施形態において、照明スイッチアクチュエータ１０６は、他のタイプの電気接点部品を、例えば摺動することによって移動させるように構成され得る。特定の実施形態において、照明スイッチアクチュエータ１０６は、一次プリント回路基板１５０および二次プリント回路基板１３８を含む回路基板スタックを含み得る。照明スイッチアクチュエータ１０６は、基底モジュール１１２に結合するための掛け金１３６（例えば、照明スイッチアクチュエータ１０６が壁板カバー１０８内の開口部１１０を通過される場合）を含み得、この掛け金により照明スイッチアクチュエータ１０６を適所にクリック止めする。ハウジング基部１３５は、基底モジュール１１２のマルチピンソケット１１４を係合するように構成されたマルチピンコネクタまたはプラグ１３４を含む。
【００６４】
照明制御デバイス１００は、電気壁ボックスに設置されるように構成された取り付けシャーシ１４２を含む。取り付けシャーシ１４２は、他のモジュール（例えば、基底モジュール１１２およびスイッチモジュール１０２）の設置のために平らな表面を作る。基底モジュールが取り付けシャーシ１４２を介して電気壁ボックスに接続されると、壁板カバー１０８は、取り付けシャーシ１４２に結合され得、照明スイッチアクチュエータ１０６が、スイッチモジュール開口部１１０を通って挿入され得る。特定の実施形態において、壁板カバーは、磁石により取り付けシャーシ１４２および／または基底モジュールのタブ１１６に結合され得る。磁石は、壁板カバー１０８の一部分の開口部内に埋め込まれ得る。記載の通り、基底モジュール１１２は、接続タブ１１６により取り付けシャーシ１４２に結合されるように構成される。基底モジュール１１２は、電源（例えば、電気ブレーカボックスから電気壁ボックスへ入ってくる電線）に、および電気ボックスに配線された１つまたは複数の照明器具に電気的に結合されるようにさらに構成される。したがって、基底モジュール１１２は、電源と、照明スイッチアクチュエータ１０６と、１つまたは複数の照明器具との間にインターフェースを提供する。基底モジュールは、電源によって供給され、かつ照明スイッチアクチュエータ１０６または触覚ディスプレイ１０４を介して特定された照明設定選択に従って１つまたは複数の照明器具に送られる電力を管理するためのプロセッサ１４０および回路基板１４１を含む。
【００６５】
プリント回路基板１５０または１３８上のプロセッサのうちの１つまたは複数および基底モジュールプロセッサ１４０は、（直接的または間接的に、例えば、インターネットを介して）携帯電話、タブレット、ノートパソコン、別のモバイルコンピューティングデバイス、１つもしくは複数の他の照明制御デバイス１００、またはある場所で動作する他の電子デバイスなどの１つまたは複数の遠隔電子デバイスとの通信のためにワイヤレスリンクを含み得る。特定の実装形態において、ワイヤレスリンクは、（直接的または間接的に、例えば、インターネットを介して）限定されるものではないが、スマート電球、サーモスタット、ガレージドアオープナー、ドアロック、リモコン、テレビ、セキュリティシステム、セキュリティカメラ、煙探知機、テレビゲーム機、ロボットシステム、または他の通信に対応した検知および／もしくは起動デバイスもしくは設備などの１つまたは複数のデバイスとの通信を可能にする。ワイヤレスリンクは、Ｂｌｕｅｔｏｏｔｈ（登録商標）クラス、Ｗｉ−Ｆｉ、ＢＬＥとしても知られるＢｌｕｅｔｏｏｔｈ（登録商標）−ｌｏｗ−ｅｎｅｒｇｙ（ＢＬＥおよびＢＴクラシックは、単にブランド戦略を共有するだけの全く異なるプロトコルである）、８０２．１５．４、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ、ワイマックス）、赤外チャネル、または衛星帯を含み得る。ワイヤレスリンクはまた、限定されるものではないが、１Ｇ、２Ｇ、３Ｇ、または４Ｇとして有効である規格など、モバイルデバイス間で通信するために使用される任意のセルラー網規格を含み得る。ネットワーク規格は、国際電気通信連合によって管理される仕様書など、ある仕様または規格を満たすことによって、移動式通信規格の１つまたは複数の世代として有効であり得る。３Ｇ規格は、例えば、Ｉｎｔｅｒｎａｔｉｏｎａｌ  Ｍｏｂｉｌｅ  Ｔｅｌｅｃｏｍｍｕｎｉｃａｔｉｏｎｓ−２０００（ＩＭＴ−２０００）の仕様に対応し得、４Ｇ規格は、Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ（ＩＭＴ−Ａｄｖａｎｃｅｄ）の仕様に対応し得る。セルラー網規格の例としては、ＡＭＰＳ、ＧＳＭ（登録商標）、ＧＰＲＳ、ＵＭＴＳ、ＬＴＥ、ＬＴＥ  Ａｄｖａｎｃｅｄ、モバイルＷｉＭＡＸ、およびＷｉＭＡＸ−Ａｄｖａｎｃｅｄが挙げられる。セルラー網規格は、様々なチャネルアクセス法、例えば、ＦＤＭＡ、ＴＤＭＡ、ＣＤＭＡ、またはＳＤＭＡを使用し得る。いくつかの実施形態において、異なるタイプのデータは、異なるリンクおよび規格を介して送信され得る。他の実施形態において、同じタイプのデータが、異なるリンクおよび規格を介して送信され得る。
【００６６】
図２Ａは、壁２００に取り付けられた図１Ａの照明制御デバイス１００を示す。図２Ａに明示されるように、基底モジュール１１２は、壁板カバー１０８があることにより、照明制御デバイス１００の設置時には見えない。壁板カバー１０８は基底モジュール１１２に添着しているため、壁板カバー１０８は、壁２００の上で浮いているように見える。照明制御デバイス１００は、ユーザ１０３が外側作動面１２２および触覚ディスプレイ１０４と相互作用することによって起動され得る。
【００６７】
図２Ｂおよび図２Ｃは複数の照明制御デバイスのマルチスイッチ構成を例証する。図２Ｂおよび図２Ｃは、２つのスイッチおよび３つのスイッチの実施形態をそれぞれ例証し、照明制御デバイス２０２および２０３はそれぞれ、照明スイッチアクチュエータ１０６ならびに補助スイッチ２０４および２０８、ならびにそれぞれ２つおよび３つの基底モジュール１１２を含む。
【００６８】
図３Ａ〜図３Ｆは、様々な照明設定を通じて遷移する照明制御デバイスおよび照明制御デバイスによって制御される照明器具を有する部屋を例証する。
【００６９】
図３Ａでは、照明制御デバイス３００は、壁板３０８の裏に位置付けられた基底モジュールに接続される。照明制御デバイス３００は、図１Ａ〜図２Ｃと関連して論じられる照明スイッチアクチュエータに類似した様式で動作可能な動的照明スイッチアクチュエータ３０６と、補助照明スイッチアクチュエータとを含む。図３Ａに明示されるように、照明スイッチアクチュエータ３０６の暗い外側作動面３２２は、非起動状態であり活性化されていない。ユーザ１０３による照明スイッチアクチュエータ３０６の作動面３２２の移動（例えば、作動面を枢動させる）に応答して、照明スイッチアクチュエータ３０６は、図３Ｂに示されるように、活性状態になり始める。照明スイッチアクチュエータ３０６の活性化または起動は、電源ランプ表示３０５によっておよび完全な照明設定アイコン３５１によって合図される。アイコン３５１が完全に点いている（図３Ｂのように部分的に点いているのではなく）図３Ｃに示されるように、照明スイッチアクチュエータ３０６は、完全に活性化される。この特定の構成において、主要な照明３０９および３１０は、フル電力で点けられる。図３Ｄは、照明設定間の遷移を示す。図３Ｄに明示されるように、この遷移は、ユーザ１０３が触覚ディスプレイ３０４にわたっておよび作動面３２２に沿ってスワイプジェスチャ３１２を完了することにより促進される。ユーザがジェスチャ３１２を完了すると、触覚ディスプレイが、図３Ｅに示される新規照明設定をトグルする、それを動かす、それに切り替える、またはそれを選択するため、アイコン３５１は触覚ディスプレイ３０４からスワイプされる。図３Ｅに示される新規照明設定は、ディナーアイコン３５２によって、表わされるまたは特定される。図３に示される新規照明設定は、室内の照明シーンを変更するために、照明器具３０９の電源を切り、ランプ３１６および突き出し燭台式電灯３１８が点されるようにする。照明設定の変更は、選択された照明設定に基づいて特定の照明器具への電力の分配の変更を引き起こす。照明スイッチアクチュエータ３０６は、複数の照明設定を用いて事前にプログラムされ得るか、またはユーザ１０３によって指定されるような特定の照明設定を用いて構成され得る。図３Ｆに示されるさらなるスワイプジェスチャ３１５または異なるジェスチャを使用して、アイコン３５２によって表される図３Ｆの照明設定からさらなる照明設定へ遷移させる。特定の実施形態において、照明設定は、照明器具が点されないように電力が低減される完全にオフの設定を含み得る。完全にオフの設定において、アイコン表示はオフにされ得るか、オフ状態を示し得る一方、電源ランプ表示３０５は、照明制御デバイス３００が起動または活性化状態にあることをユーザに知らせるために点いたままである。したがって、ユーザは、スマート電球に接続された器具の照明は切るが、遠隔起動（例えば、照明制御デバイス３００に通信可能に結合されたモバイル電子デバイスによる制御のため）または照明制御デバイス３００による近くでの直接的起動に備えた状態に電球を依然として維持することができる。
【００７０】
図４は、照明制御デバイスを制御するためのシステムの動作のフロー図を提供する。図４は、本発明の様々な実施形態に従って照明制御デバイス１００または３００を制御するように構成される（例えば、コンピュータ記憶媒体上に符号化されたコンピュータプログラム命令によりプログラムされる）１つまたは複数のプロセッサ１３０など、制御システムの制御動作を例証する。４０１において、照明スイッチアクチュエータに収容される触覚ディスプレイは、照明スイッチアクチュエータを移動させることによって、例えば、照明スイッチアクチュエータの作動面を移動させる（例えば、作動面を枢動して移動させる）ことによって起動される。４０２において、基底モジュールを介して照明スイッチアクチュエータに電気的に結合された照明器具は、照明スイッチアクチュエータの移動が電気接点部品を新規の位置へ移動させ、それにより電源と照明器具との間の電気流路が閉じられることを可能にするまたは引き起こすと、電源が入れられる。照明スイッチアクチュエータ内に収容される触覚ディスプレイは、作動面と同時に移動される。４０３において、例えば、触覚ディスプレイ（即ち、タッチスクリーンディスプレイ）に対する特定の触覚モーション（例えば、スワイプ、ジェスチャ、タップなど）によって、照明設定選択要求が触覚ディスプレイを介して受信される。照明設定選択要求は、複数の照明設定の中から別個の照明設定を特定する。ユーザは、複数の照明設定から移動する、切り替える、またはトグルして特定の照明設定を選択するために複数回スワイプし得るか、または、ユーザは、限定されるものではないが、接続された照明器具すべての光強度をそれらのピーク出力の半分にするためのハーフスワイプおよびタップなど、特定の照明設定に対応する特定のモーションを行い得る。照明設定は、照明スイッチモジュールに接続された１つまたは複数の照明器具のための別個の配電計画（例えば、別個の事前に設定またはプログラムされた調光プロファイル）を特定し、この分配計画は、ユーザ選択に基づいて自動的に開始される。４０４において、配電計画が特定される。４０５において、特定された配電計画は、選択された照明設定に対応する配電計画に基づいて照明のうちの１つ、いくつか、またはすべてを調節するために、例えば照明スイッチアクチュエータからの制御信号に応答する基底モジュールによって送信される。配電計画またはプロファイルは、照明制御デバイスのメモリデバイス内、または照明制御デバイスに通信可能に結合されたリモートコンピューティングデバイスに格納され得る。特定の実施形態において、配電計画は、自然光からの環境光または未接続の光源などの他のパラメータを考慮に入れるように調節され得る。特定の実施形態において、配電計画は、１つまたは複数の他のセンサパラメータに基づいて調節され得る。特定の実施形態において、照明設定は、時刻に基づいた自動化、光、温度、騒音、または限定されるものではないが本明細書に説明される任意の電子デバイスなどの他のデバイスの起動などの検知されたパラメータに基づいた自動化によって調節され得る。
【００７１】
図５は、照明制御デバイスを遠隔で動作させるためのシステムのフロー図を示す。特定の実施形態において、照明制御デバイス１００または３００は、アクチュエータスイッチが起動または活性化される場合にリモートデバイスから操作可能であり得る。そのような場合において、リモートデバイスは、照明制御デバイスと通信しかつ照明制御デバイスを制御するためにデバイス上で動作する、システム５００などの１つまたは複数のコンピュータプログラムアプリケーションを含み得る。したがって、５０１において、制御システム５００は、モバイル電子デバイスと照明スイッチモジュールとの間に通信インターフェースを生成するために接続モジュールを起動させる。接続モジュールは、リモートデバイスに、通信プロトコル（例えば、Ｂｌｕｅｔｏｏｔｈ（登録商標））を介して１つまたは複数のワイヤレス送信を照明制御デバイスへ送らせ得る。５０２において、制御システム５００は、照明設定の選択を促進するために、リモートデバイスにモバイル電子デバイスの表示デバイス上へのアイコンの表示を生成させる。５０３において、制御システム５００は、特定のアイコンを選択するユーザに基づいて照明設定選択を受信する。５０４において、送信モジュールは、選択された照明設定が照明制御デバイスに送信されるようにし、その結果、照明スイッチモジュールおよび／または基底モジュールは、照明設定に対応する配電計画が照明器具に送信されるようにすることができる。照明制御デバイスの触覚ディスプレイは、モバイル電子デバイス上で選択され、かつ触覚デバイス上で選択された照明設定に対応するアイコンを表示するために、照明設定の受信と共同して更新され得る。
【００７２】
図６は、照明制御デバイスの動作を遠隔で構成するためのシステムのフロー図を例証する。リモートデバイスは、限定されるものではないが、携帯電話、モバイルコンピューティングデバイス、または照明制御デバイスから遠隔にあるコンピューティングデバイスなどのデバイスを含み得る。６０１において、モバイル電子デバイスは、照明スイッチモジュールとの通信インターフェースを生成する。６０２において、照明器具特定モジュールは、照明スイッチ制御モジュールに接続された１つまたは複数の照明器具と関連付けられたパラメータを特定するためにセンサベースのプロトコルを開始する。６０３において、表示選択モジュールは、アイコンの表示をモバイル電子デバイスの表示デバイス上に出現させる。６０４において、照明設定構成モジュールは、ユーザが、特定されたパラメータおよび光強度に関連するユーザ指定の入力に基づいて特定された照明器具のための配電計画またはプロファイルを作成することを可能にする。６０４において、格納モジュールは、配電計画を格納し、特定の照明設定アイコンを配電計画と関連付けるために使用される。６０５において、送信モジュールは、配電計画および関連アイコンを照明スイッチ制御モジュールに送信する。
【００７３】
本明細書に説明される主題および動作の実装形態は、本明細書に開示される構造体、それらの構造的等価物、またはそれらの１つもしくは複数の組み合わせなど、デジタル電子回路により、またはコンピュータソフトウェア、ファームウェア、もしくはハードウェアを介して実装され得る。本明細書に説明される主題の実装形態は、データ処理装置による実行のためまたはデータ処理装置の動作を制御するためにコンピュータ記憶媒体上に符号化される、１つまたは複数のコンピュータプログラム、即ちコンピュータプログラム命令の１つまたは複数のモジュールとして実施され得る。
【００７４】
コンピュータ記憶媒体は、コンピュータ可読記憶デバイス、コンピュータ可読記憶基板、ランダムもしくはシリアルアクセスメモリアレイもしくはデバイス、またはそれらのうちの１つまたは複数の組み合わせであり得るか、それらに含まれ得る。さらには、コンピュータ記憶媒体は伝播信号ではないが、コンピュータ記憶媒体は、人為的に生成した伝播信号内に符号化されるコンピュータプログラム命令のソースまたは送り先であり得る。コンピュータ記憶媒体はまた、１つまたは複数の別の物理的な部品または媒体（例えば、複数のＣＤ、ディスク、または他の記憶デバイス）であり得るか、それらに含まれ得る。
【００７５】
本明細書に説明される動作は、１つまたは複数のコンピュータ可読記憶デバイス上に格納されるか、他のソースから受信されるデータに対してデータ処理装置によって実施される動作として実施され得る。
【００７６】
「データ処理装置」という用語は、例としてプログラマブルプロセッサ、コンピュータ、オンチップシステム、または先述したものの複数物もしくは組み合わせなど、データを処理するためのあらゆる種類の装置、デバイス、およびマシンを包含する。本装置は、特殊目的の論理回路、例えば、ＦＰＧＡ（フィールドプログラマブルゲートアレイ）またはＡＳＩＣ（特定用途向け集積回路）を含み得る。本装置はまた、ハードウェアに加えて、当該コンピュータプログラムのための実行環境を作成するためのコード、例えば、プロセッサファームウェア、プロトコルスタック、データベース管理システム、オペレーティングシステム、クロスプラットフォームランタイム環境、仮想マシン、またはそれらのうちの１つまたは複数の組み合わせを構成するコードを含み得る。本装置および実行環境は、ウェブサービス、分散コンピューティング、およびグリッドコンピューティングインフラストラクチャなど、様々な異なるコンピューティングモデルインフラストラクチャを実現し得る。
【００７７】
コンピュータプログラム（プログラム、ソフトウェア、ソフトウェアアプリケーション、スクリプト、またはコードとしても知られる）は、コンパイラ型言語もしくはインタープリタ型言語、宣言型言語もしくは手続き型言語など、任意の形態のプログラミング言語で記述され得、それは、スタンドアローンプログラムとして、またはモジュール、コンポーネント、サブルーチン、オブジェクト、もしくはコンピューティング環境に好適な他のユニットとしてなど、任意の形態で展開され得る。コンピュータプログラムは、ファイルシステム内のファイルに対応し得るが、そうである必要はない。プログラムは、他のプログラムまたはデータ（例えばマークアップ言語ドキュメントに格納される１つまたは複数のスクリプト）を保持するファイルの一部分内、当該プログラム専用の単一のファイル内、または複数の連携ファイル（例えば、１つまたは複数のモジュール、サブプログラム、またはコードの部分を格納するファイル）内に格納され得る。コンピュータプログラムは、１つのコンピュータ上で、または１つのサイトに位置するか、もしくは複数のサイトにわたって分散され、通信ネットワークによって相互接続される複数のコンピュータ上で実行されるように展開され得る。
【００７８】
本明細書に説明されるプロセスおよび論理フローは、入力データに対して操作を行って出力を生成することによってアクションを実施するために１つまたは複数のコンピュータプログラムを実行する１つまたは複数のプログラマブルプロセッサによって実施され得る。本プロセスおよび論理フローはまた、特殊目的の論理回路、例えば、ＦＰＧＡ（フィールドプログラマブルゲートアレイ）またはＡＳＩＣ（特定用途向け集積回路）によって実施され得、本装置はまた、特殊目的の論理回路、例えば、ＦＰＧＡ（フィールドプログラマブルゲートアレイ）またはＡＳＩＣ（特定用途向け集積回路）として実装され得る。
【００７９】
コンピュータプログラムの実行に好適なプロセッサとしては、例として、汎用マイクロプロセッサおよび特殊目的マイクロプロセッサの両方、ならびにあらゆる種類のデジタルコンピュータの任意の１つまたは複数のプロセッサが挙げられる。一般的に、プロセッサは、リードオンリメモリまたはランダムアクセスメモリまたはその両方から命令およびデータを受信する。コンピュータの基本要素は、命令に従ってアクションを実施するためのプロセッサ、ならびに命令およびデータを格納するための１つまたは複数のメモリデバイスである。一般的に、コンピュータはまた、データを格納するための１つまたは複数の大容量記憶デバイス、例えば、磁気、光磁気ディスク、もしくは光学ディスクからデータを受信するため、そこにデータを送信するため、またはその両方のために、１つもしくは複数の大容量記憶デバイスを含むか、またはそれに動作可能に結合される。しかしながら、コンピュータは、そのようなデバイスを有する必要はない。さらには、コンピュータは、別のデバイス、いくつか例を挙げると、例えば、携帯電話、パーソナルデジタルアシスタント（ＰＤＡ）、携帯オーディオもしくはビデオプレイヤー、ゲーム機、全地球測位システム（ＧＰＳ）受信器、またはポータブル記憶デバイス（例えば、ユニバーサルシリアルバス（ＵＳＢ）フラッシュドライブ）などに埋め込まれ得る。コンピュータプログラム命令およびデータを格納するのに好適なデバイスは、すべての形態の非揮発性メモリ、媒体、およびメモリデバイス、例として、半導体メモリデバイス、例えば、ＥＰＲＯＭ、ＥＥＰＲＯＭ、およびフラッシュメモリデバイス；磁気ディスク、例えば、内蔵ハードディスクまたはリムーバルディスク；光磁気ディスク；ならびにＣＤ  ＲＯＭおよびＤＶＤ−ＲＯＭディスクなどを含む。プロセッサおよびメモリは、特殊目的の論理回路によって補完され得るか、またはそれに組み込まれ得る。
【００８０】
ユーザとの相互作用を提供するために、本明細書に説明される主題の実装形態は、ユーザに情報を表示するための表示デバイス、例えば、ＣＲＴ（ブラウン管）またはＬＣＤ（液晶ディスプレイ）モニタと、キーボードおよびポインティングデバイス、例えば、マウスまたはトラックボールであり、それによりユーザがコンピュータに入力を提供することができるものとを有するコンピュータ上で実施され得る。他の種類のデバイスがユーザとの相互作用を提供するために同様に使用され得る。例えば、ユーザに提供されるフィードバックは、任意の形態のセンサ式フィードバック、例えば、視覚フィードバック、聴覚フィードバック、または触覚フィードバックであり得、ユーザからの入力は、聴覚、音声、または触覚入力など任意の形態で受信され得る。加えて、コンピュータは、ユーザによって使用されるデバイスにドキュメントを送ることおよびそこからドキュメントを受信することによって、例えば、ユーザのユーザデバイス上のウェブブラウザに、そのウェブブラウザから受信された要求に応答してウェブページを送ることによって、ユーザと相互作用することができる。
【００８１】
本明細書に説明される主題の実装形態は、例えばデータサーバとしてバックエンドコンポーネントを含むか、または、ミドルウェアコンポーネント、例えば、アプリケーションサーバを含むか、またはフロントエンドコンポーネント、例えば、グラフィカルディスプレイもしくはウェブブラウザを有するユーザコンピュータあって、それによりユーザが本明細書に説明される主題の実装形態と相互作用することができる、ユーザコンピュータを含む、コンピューティングシステム、または１つもしくは複数のそのようなバックエンド、ミドルウェア、もしくはフロントエンドコンポーネントの任意の組み合わせに実装され得る。システムのコンポーネントは、デジタルデータ通信の任意の形態または媒体、例えば、通信ネットワークによって相互接続され得る。通信ネットワークの例としては、ローカルエリアネットワーク（「ＬＡＮ」）および広域エリアネットワーク（「ＷＡＮ」）、インターネットワーク（例えば、インターネット）、ならびにピアツーピアネットワーク（例えば、アドホックピアツーピアネットワーク）が挙げられる。
【００８２】
コンピューティングシステムは、ユーザおよびサーバを含み得る。ユーザおよびサーバは、一般的には、互いから遠隔にあり、典型的には、通信ネットワークを介して相互作用する。ユーザおよびサーバの関係は、それぞれのコンピュータ上で実行しかつ互いにユーザ−サーバ関係を有するコンピュータプログラムによって生じる。いくつかの実装形態において、サーバは、データ（例えば、ＨＴＭＬページ）をユーザデバイスに送る（例えば、ユーザデバイスと相互作用するユーザにデータを表示し、そのユーザからユーザ入力を受信する目的のため）。ユーザデバイスで生成されるデータ（例えば、ユーザ相互作用の結果）は、サーバにおいてユーザデバイスから受信され得る。
【００８３】
本明細書は、多くの特定の実装形態詳細を含むが、これらはいかなる発明の範囲または特許請求されるものに対する制限と見なされるべきではなく、むしろ特定の発明の特定の実装形態に特有の特徴の説明と見なされるべきである。別個の実装形態の文脈において本明細書に説明される特定の特徴はまた、単一の実装形態において組み合わせて実施され得る。逆に、単一の実装形態の文脈において説明される様々な特徴はまた、別々に、または任意の好適な部分的組み合わせで、複数の実装形態において実施され得る。さらには、特徴は特定の組み合わせで作用すると上に説明され、さらにはそのように最初は特許請求され得るが、特許請求された組み合わせから１つまたは複数の特徴が、いくつかの場合においては、その組み合わせから削除され得、また特許請求された組み合わせは、部分的組み合わせまたは部分的組み合わせの変異形を対象にし得る。
【００８４】
本開示の目的のため、「結合される」という用語は、２つの部材が互いに直接的または間接的に接合することを意味する。そのような接合は、本質的に静止状態または移動可能であり得る。そのような接合は、２つの部材により、または２つの部材および単一の一体型構造体として互いともしくは２つの部材と一体化して形成されている任意の追加の中間部材により、または２つの部材および互いに添着している任意の追加の中間部材により達成され得る。そのような接合は、本質的に永続的であり得るか、または本質的に取り外し可能もしくは解放可能であり得る。
【００８５】
様々な要素の配向は、他の実装形態例によると異なり得、そのような変異形は本開示により包含され得ることが意図されることに留意されたい。開示された実装形態の特徴は、他の開示された実装形態内に組み込まれ得ることが認識される。
【００８６】
様々な発明の実装形態が本明細書に説明および例証されているが、当業者は、機能を実施するためならびに／または結果および／もしくは本明細書に説明される利点のうちの１つもしくは複数を得るための様々な他の手段および／または構造体を容易に想定するものとし、そのような変異形および／または修正形態の各々は、本明細書に説明される発明の実装形態の範囲内であると見なされる。より一般的には、当業者は、本明細書に説明されるすべてのパラメータ、寸法、材料、および構成が、例であることが意図されること、ならびに実際のパラメータ、寸法、材料、および／または構成が、特定の用途または本発明の教示が使用される用途に依存することを容易に理解するものとする。当業者は、本明細書に説明される特定の発明の実装形態の多くの等価物を認識するか、または単なるルーチン実験を使用してそれらを解明することができるものとする。したがって、先述の実装形態は、単に例にすぎず、添付の特許請求の範囲およびその等価物の範囲内で、発明の実装形態は、具体的に説明されかつ特許請求されたものと異なるやり方で実践され得るということが理解される。本開示の発明の実装形態は、本明細書に説明される各個別の特徴、システム、物品、材料、キット、および／または方法を対象とする。加えて、２つ以上のそのような特徴、システム、物品、材料、キット、および／または方法の任意の組み合わせは、そのような特徴、システム、物品、材料、キット、および／または方法が相互に矛盾しない場合には、本開示の発明の範囲内に含まれる。
【００８７】
また、本明細書に説明される技術は、方法として具現化され得、そのうちの少なくとも１つの例が提供されている。方法の部分として実施される行為は、任意の好適なやり方で順序付けされ得る。したがって、そのような行為が例証されるものとは異なる順序で実施される実装形態が企図され得、それには、いくつかの行為が、例証的な実装形態においては順次的な行為として示されていたとしても、同時に実施されることが含まれ得る。
【００８８】
特許請求の範囲は、説明された順序または要素に限定されるものとして読まれるべきではないが、但しその効果が述べられている場合はその限りではない。形態および詳細事項における様々な変更が、添付の特許請求の範囲の趣旨および範囲から逸脱することなく当業者によってなされ得ることを理解されたい。以下の特許請求の範囲およびその等価物の趣旨および範囲内に入るすべての実装形態が特許請求される。
【符号の説明】
【００８９】
１００  照明制御デバイス
１０２  スイッチモジュール
１０３  ユーザ
１０４  触覚ディスプレイ
１０６  照明スイッチアクチュエータ
１０８  壁板カバー
１１０  スイッチモジュール開口部
１１２  基底モジュール
１１４  マルチピンソケット
１１６  接続タブ
１１８  留め具用開口
１２０  足部
１２２  （外側）作動面
１２４  ポリマーベースの静電容量型タッチ層
１２５  発光ダイオードパネル
１２６  光パイプ
１２７  センサ
１２８  スイッチピン
１２９  プリント回路基板
１３０  プロセッサ
１３１  凹部
１３３  ハウジングカバー
１３４  マルチピンコネクタまたはプラグ
１３５  ハウジング基部
１３６  掛け金／ピン
１３７  ねじりばね
１３８  二次プリント回路基板
１４０  プロセッサ
１４１  回路基板
１４２  取り付けシャーシ
１５０  （一次）プリント回路基板
２００  壁
２０２  照明制御デバイス
２０３  照明制御デバイス
２０４  補助スイッチ
２０８  補助スイッチ
３００  照明制御デバイス
３０４  触覚ディスプレイ
３０５  電源ランプ表示
３０６  照明スイッチアクチュエータ
３０８  壁板
３０９  照明器具／主要な照明
３１０  主要な照明
３１２  （スワイプ）ジェスチャ
３１５  スワイプジェスチャ
３１６  ランプ
３１８  突き出し燭台式電灯
３２２  （外側）作動面
３５１  （照明設定）アイコン
３５２  （ディナー）アイコン
５００  制御システム
【図１Ａ】
2019513282.tif 000003
【図１Ｂ】
2019513282.tif 000004
【図２Ａ】
2019513282.tif 000005
【図２Ｂ】
2019513282.tif 000006
【図２Ｃ】
2019513282.tif 000007
【図３Ａ】
2019513282.tif 000008
【図３Ｂ】
2019513282.tif 000009
【図３Ｃ】
2019513282.tif 000010
【図３Ｄ】
2019513282.tif 000011
【図３Ｅ】
2019513282.tif 000012
【図３Ｆ】
2019513282.tif 000013
【図４】
2019513282.tif 000014
【図５】
2019513282.tif 000015
【図６】
2019513282.tif 000016
【国際調査報告】
2019513282.tif 000017
2019513282.tif 000018
2019513282.tif 000019